(57)【特許請求の範囲】
【請求項１】
表示部に出力する画像の輝度を調整する画像処理装置であって、
各フレームの画像を複数のエリアに分割する分割手段と、
明るさの分布に関する情報の情報量としてのエリア内の輝度のばらつき及び文字量に関する情報の情報量としての前記エリアの面積に対する文字部分の面積の割合のうち少なくともいずれかに関する情報の情報量を、各エリアについて算出する情報量算出手段と、
情報量の小さいエリアの輝度の低下率が情報量の大きいエリアの輝度の低下率よりも大きくなるように、各エリアの輝度を調整する輝度調整手段と、を備える
ことを特徴とする画像処理装置。
【請求項２】
前記情報量算出手段は、互いに異なる情報の情報量を算出する複数の算出部を有しており、前記複数の算出部で算出された複数の情報量を用いて各エリアの情報量を決定する
ことを特徴とする請求項１に記載の画像処理装置。
【請求項３】
前記情報量算出手段は、前記複数の算出部で算出された複数の情報量を重み付け加算することにより、各エリアの情報量を求める
ことを特徴とする請求項２に記載の画像処理装置。
【請求項４】
前記複数の情報量のそれぞれにかける重みを変更する設定手段をさらに備える
ことを特徴とする請求項３に記載の画像処理装置。
【請求項５】
前記輝度調整手段は、情報量が所定のしきい値以下のエリアの輝度の低下率を、前記しきい値よりも情報量が大きいエリアから離れるほど徐々に低下率が大きくなっていくように、決定する
ことを特徴とする請求項１〜４のうちいずれか１項に記載の画像処理装置。
【請求項６】
前記輝度調整手段は、エリア間での輝度の低下率の変化をなめらかにするスムージング処理を行う
ことを特徴とする請求項１〜５のうちいずれか１項に記載の画像処理装置。
【請求項７】
表示部に出力する画像の輝度を調整する画像処理装置により実行される画像処理方法であって、
各フレームの画像を複数のエリアに分割するステップと、
明るさの分布に関する情報の情報量としてのエリア内の輝度のばらつき及び文字量に関する情報の情報量としての前記エリアの面積に対する文字部分の面積の割合のうち少なくともいずれかに関する情報の情報量を、各エリアについて算出するステップと、
情報量の小さいエリアの輝度の低下率が情報量の大きいエリアの輝度の低下率よりも大きくなるように、各エリアの輝度を調整するステップと、を有する
ことを特徴とする画像処理方法。
【発明の詳細な説明】
【技術分野】
【０００１】
本発明は、画像処理装置及び画像処理方法に関するものである。
【背景技術】
【０００２】
近年、画像表示装置用のディスプレイとして、液晶ディスプレイ、プラズマディスプレイ、有機ＥＬディスプレイ、電界放出型ディスプレイ等が注目されている。画像表示装置は長時間にわたり使用されることが多いため、消費電力の低減は重要な技術課題の一つである。例えば特許文献１には、広告表示用のディスプレイにおいて、文字・図形部分以外の領域ではＬＥＤの輝度を下げたり、同一色の領域内では点灯させるＬＥＤを間引いたりすることで、広告機能を保ったまま消費電力を低減する方法が提案されている。
【先行技術文献】
【特許文献】
【０００３】
【特許文献１】特開２００７−２１２５９３号公報
【発明の概要】
【発明が解決しようとする課題】
【０００４】
特許文献１の方法は、広告のように文字や図形が主要な部分を占める静止画や、レイアウトが既知の静止画に対しては有効かもしれない。しかしながら、テレビ映像や映画のような一般的な画像の場合は、輝度を下げてもよい部分を適切に判断できなかったり、画像全体の印象を大きく変えてしまい、表示画像の品質を著しく低下させるおそれがある。特に、画像が刻々と変化する動画像に対しては、特許文献１の方法の適用は困難である。
【０００５】
本発明は、上記課題を解決するためになされたもので、画像の品質を維持しつつ、表示に必要な消費電力を低減するための画像処理技術を提供することを目的とする。本発明のさらなる目的は、表示に必要な消費電力を低減するために画像の輝度を低下させる際に、画像中の重要部分の欠損を可及的に抑えるための画像処理技術を提供することである。
【課題を解決するための手段】
【０００６】
本発明の第１態様は、表示部に出力する画像の輝度を調整する画像処理装置であって、各フレームの画像を複数のエリアに分割する分割手段と、明るさの分布に関する情報の情報量としてのエリア内の輝度のばらつき及び文字量に関する情報の情報量としての前記エリアの面積に対する文字部分の面積の割合のうち少なくともいずれかに関する情報の情報量を、各エリアについて算出する情報量算出手段と、情報量の小さいエリアの輝度の低下率が情報量の大きいエリアの輝度の低下率よりも大きくなるように、各エリアの輝度を調整する輝度調整手段と、を備える画像処理装置を提供する。
【０００７】
本発明の第２態様は、表示部に出力する画像の輝度を調整する画像処理装置により実行される画像処理方法であって、各フレームの画像を複数のエリアに分割するステップと、明るさの分布に関する情報の情報量としてのエリア内の輝度のばらつき及び文字量に関する情報の情報量としての前記エリアの面積に対する文字部分の面積の割合のうち少なくともいずれかに関する情報の情報量を、各エリアについて算出するステップと、情報量の小さいエリアの輝度の低下率が情報量の大きいエリアの輝度の低下率よりも大きくなるように、各エリアの輝度を調整するステップと、を有する画像処理方法を提供する。
【発明の効果】
【０００８】
本発明によれば、画像の品質を維持しつつ、表示に必要な消費電力を低減することができる。また、本発明によれば、表示に必要な消費電力を低減するために画像の輝度を低下させる際に、画像中の重要部分の欠損を可及的に抑えることができる。
【図面の簡単な説明】
【０００９】
【図１】画像処理装置と表示部の構成を示すブロック図。
【図２】ばらつき情報量算出部の動作フローを示す図。
【図３】ばらつき情報量の数値化の一例を説明する図。
【図４】エリアゲイン決定回路の動作フローを示す図。
【図５】エリアゲインの算出の一例を説明する図。
【図６】文字情報量算出部の動作フローを示す図。
【図７】文字情報量の数値化及びエリアゲインの算出の一例を説明する図。
【図８】動き情報量算出部の動作フローを示す図。
【図９】動き情報量の数値化の一例を説明する図。
【図１０】エリアゲインの算出の一例を説明する図。
【発明を実施するための形態】
【００１０】
本発明は、画像（静止画、動画像含む）の輝度を調整する画像処理装置及び画像処理装置で実行される画像処理方法に関し、詳しくは、表示に必要な消費電力を低減するために画像の一部分（非重要部分）の輝度を低下させるものである。本発明は、画像表示装置（例えばテレビジョン装置、コンピュータ用モニタ、広告用ディスプレイ）に実装することもできるし、画像表示装置に映像信号を供給する装置（例えば映像再生装置、コンピュータ）に実装することも可能である。以下、図面を参照しながら本発明の実施例に係る画像表示装置を説明する。
【００１１】
図１は、画像表示装置の構成の概要を示すブロック図である。この画像表示装置は、画像の輝度を調整する画像処理装置１と、画像処理装置１から出力される輝度調整後の画像を表示する表示部２とから構成される。
【００１２】
各フレームの画像データは、映像信号Ｓ１として画像処理装置１に入力される。分割回路Ｓ２は入力画像を複数の検知エリアに分割し、各検知エリアの画像を情報量処理回路Ｓ３へ出力する。
【００１３】
情報量処理回路Ｓ３は、各検知エリアの画像から情報量（エントロピー）を算出する。どのような情報に注目するかにより、画像からは様々な情報量を数値化することができる。ここでは、ばらつき情報量算出部Ｓ３１が、明るさの分布に関する情報量として、検知エリア内の輝度のばらつきを数値化する。つまり、輝度の面内変化が大きいエリアほど多くの情報を含んでいるとみなすのである。文字情報量算出部Ｓ３２は、文字量に関する情報量として、検知エリアの全面積に対する文字部分の面積の割合を数値化する。つまり、文字の占める割合の大きいエリアほど多くの情報を含んでいるとみなすのである。また、動き情報量算出部Ｓ３３は、動き量に関する情報量として、時間的に連続するフレーム間での輝度の差分を数値化する。つまり、動きの大きいエリアほど多くの情報を含んでいるとみなすのである。
【００１４】
情報量処理回路Ｓ３から出力された複数の情報量は、加算ゲイン設定回路Ｓ４から与えられたゲイン（重み）を乗算器Ｓ４１、Ｓ４２、Ｓ４３で乗じられた後、加算器Ｓ４４で合計される。このような重み付け加算により、各検知エリアの情報量が決定される。
【００１５】
各情報量に掛けるゲイン１〜３の値は任意に設定できる。ゲインの値を「０」に設定することで、その情報量を無視することもできる。また、ゲイン１〜３の値は、設定回路Ｓ５で変更できるようにすることが好ましい。設定回路Ｓ５は、ユーザ設定に応じてゲインを変更することもできるし、映像の種類、シーン、輝度レベルなどを自動判別して適応的にゲインを変更することもできる。前者の例として、表示モードの選択を可能にし、映画
モードが選ばれた場合はばらつき情報量のゲインを、ニュースモードの場合は文字情報量のゲインを、スポーツモードの場合は動き情報量のゲインをそれぞれ大きくする、といったゲイン制御が考えられる。後者の例として、動きの激しいシーンでは動き情報量のゲインを大きくするとか、ニュース番組やデータ放送の場合には文字情報量のゲインを大きくするといったゲイン制御が考えられる。
【００１６】
エリアゲイン決定回路Ｓ６は、各検知エリアの情報量の大きさに基づいて、各検知エリアの画像に掛ける平均ゲインの値を決定する。このとき、情報量の小さい検知エリアのほうが情報量の大きい検知エリアに比べてゲイン値が小さくなるようにする。そして、画素ゲイン決定回路Ｓ７が、エリア間でのゲイン値の変化をなめらかにするために、平均ゲイン値に対してスムージング処理を行い、画素ごとのゲインの値を決定する。このゲインが乗算器Ｓ８で入力画像の各画素に掛け合わされることで、画像の輝度調整が行われる。ゲインは０から１の値をとり、ゲイン値が小さいほど輝度が低下する。なお、輝度の低下率は、「１−ゲイン値」あるいは「（１−ゲイン値）×１００［％］」で表される。
【００１７】
画像処理装置１から出力された画像は、表示部２の映像表示回路Ｓ９に入力される。映像表示回路Ｓ９は入力された画像信号に基づいて表示パネルＳ１０を駆動するための駆動信号を生成し、表示パネルＳ１０に出力する。これにより、表示パネルＳ１０に輝度調整後の画像が表示される。
【００１８】
この構成において、分割回路Ｓ２が本発明における分割手段に対応し、符号Ｓ３、Ｓ４、Ｓ４１〜Ｓ４４で構成されるブロックが本発明における情報量算出手段に対応し、符号Ｓ６〜Ｓ８で構成されるブロックが本発明における輝度調整手段に対応する。また、設定回路Ｓ５が本発明における設定手段に対応する。
【００１９】
［実施例１］
以下、実施例１として、ばらつき情報量算出部Ｓ３１で算出された情報量に基づいてゲイン調整をする時の具体例について説明する。なお、実施例１では図１における文字情報量算出部Ｓ３２と動き情報量算出部Ｓ３３の機能は利用しない。
【００２０】
図２は、ばらつき情報量算出部Ｓ３１の動作フローを示している。分割回路Ｓ２からばらつき情報量算出部Ｓ３１に対し、検知エリアごとの画像の輝度レベルのデータが入力される（Ｓ３１１）。ばらつき情報量算出部Ｓ３１は、同一フレーム内のデータにおける検知エリアごとの輝度レベルのばらつき量（標準偏差又は分散など）を求める（Ｓ３１２）。全ての検知エリアのばらつき量が求まったら、ばらつき情報量算出部Ｓ３１は、検知エリアごとのばらつき量の比較を行う（Ｓ３１３）。つづいて、ばらつき情報量算出部Ｓ３１は、ばらつき量の最大値が１００になるように各検知エリアのばらつき量を規格化する（Ｓ３１４）。このようにして数値化された検知エリアごとのデータを「ばらつき情報量」として出力する（Ｓ３１５）。以上がばらつき情報量算出部Ｓ３１の動作フローである。
【００２１】
図３（ａ）〜（ｅ）を参照して、ばらつき情報量の数値化の一例について説明をする。
図３（ａ）に示すように、１フレームの画像が分割回路Ｓ２により縦６×横６の３６個の検知エリア（サブ画像）に分割される。以下、縦のアドレスは１〜６、横のアドレスはＡ〜Ｆで示す。ばらつき情報量算出部Ｓ３１は、３６分割されたエリアごとに輝度レベル（階調レベル）のヒストグラムを算出し、そのばらつき量として標準偏差を求める。例えば、エリア３−Ｂのように変化の小さい画像部分では、図３（ｂ）に示すように輝度のばらつきは小さくなる。一方、エリア５−Ｅのように変化の大きい画像部分では、図３（ｃ）に示すように輝度のばらつきが大きくなる。一般的に、輝度のばらつきが小さい部分（例えば背景など）は画像の中で重要ではない可能性が高く、逆に、画像の中で重要な部分
には物体、文字、エッジ等が含まれており輝度の変化が大きくなる傾向にある。
【００２２】
図３（ｄ）は、各検知エリアの輝度分布の標準偏差を示している。ばらつき情報量算出部Ｓ３１は、最大値が１００となるように、標準偏差の値を規格化する。この例では、エリア４−Ｅとエリア５−Ｅの標準偏差「２０」が最大値であるため、全ての値に５（＝１００／２０）を掛けることでばらつき情報量の値が求まる。図３（ｅ）は、算出されたばらつき情報量の例を示している。
【００２３】
ばらつき情報量算出部Ｓ３１で算出された情報量は、加算ゲイン設定回路Ｓ４から与えられるゲイン（重み）を用いて、他の算出部Ｓ３２、Ｓ３３で算出された情報量と重み付け加算される。本実施例では、ゲイン１が「１」、ゲイン２及び３が「０」に設定されており、ばらつき情報量算出部Ｓ３１で算出された情報量の値がそのままエリアゲイン決定回路Ｓ６に出力される。
【００２４】
図４は、エリアゲイン決定回路Ｓ６の動作フローを示している。エリアゲイン決定回路Ｓ６は、検知エリアごとの情報量のデータを入力する（Ｓ６１）。エリアゲイン決定回路Ｓ６は、設定回路Ｓ５から与えられる所定のしきい値と比較することで、情報量の大きい検知エリア（輝度を低下させないエリア）と情報量の小さい検知エリア（輝度を低下させるエリア）とを判別する（Ｓ６２）。次にエリアゲイン決定回路Ｓ６は、情報量および検知エリアの配列などに基づき、検知エリアごとの平均ゲインを決定する（Ｓ６３）。このとき、エリアゲイン決定回路Ｓ６は、情報量の大きい検知エリアから離れるほど徐々に低下率が大きくなっていくように（つまり、ゲインが小さくなっていくように）、情報量の小さい検知エリアの輝度の低下率（ゲイン）を決定する。決定された平均ゲインのデータは、画素ゲイン決定回路Ｓ７に出力される。
【００２５】
図５（ａ）、（ｂ）を参照して、検知エリアごとの平均ゲインの算出の一例を説明する。この図は、情報量がしきい値以下の検知エリアの輝度を低下させるという条件の算出例を示している。しきい値は「３０」とする。図３（ｅ）において情報量が「３０」以下のエリアを「０」、情報量が「３０」より大きいエリアを「１」で２値化すると、図５（ａ）のマップが得られる。このマップでは、輝度を低下させないエリア（「１」の部分）と輝度を低下させるエリア（「０」の部分）とが区分けされている。
【００２６】
図５（ｂ）は、図５（ａ）のマップに基づいて設定された平均ゲイン（エリアゲインとも呼ぶ）の一例である。まず、輝度を低下させないエリア（図５（ａ）で「１」の部分）のゲインが「１．０」に設定される。続いて、ゲイン「１．０」のエリアに隣接するエリア（ゲインがすでに設定されているエリアは除く）のゲインが「０．９」に設定される。以下同様に、ゲイン「０．９」のエリアに隣接するエリアのゲインは「０．８」に設定される。ゲイン「０．８」のエリアに隣接するエリアのゲインは「０．７」に設定され、ゲイン「０．７」のエリアに隣接するエリアのゲインは「０．６」に設定される。その結果、図５（ｂ）に示すように、全てのエリアの平均ゲイン値が決定される。
【００２７】
つづいて、図１の画素ゲイン決定回路Ｓ７により、平均ゲイン値をスムージング処理して、画素ごとにかけるゲインを決定する。入力された映像信号Ｓ１に対して、乗算器Ｓ８で画素ゲインを掛け合わせて、輝度調整された映像信号が生成される。その映像信号が、映像表示回路Ｓ９を介して、表示パネルＳ１０に表示される。
【００２８】
本実施例によれば、前記の輝度調整処理を行うことにより、画像の表示に必要な消費電力を約９０％に低減することができる。また、情報量の小さいエリアの輝度を主に低下させるようにすることで、画像中の重要部分の欠損を可及的に抑えることができる。しかも、輝度の低下率が徐々に変化するようにエリアゲイン及び画素ゲインを設定することで、
画像全体の印象が変わることが可及的に抑えられる。したがって、表示に必要な消費電力を低減しながらも、省電力でない場合と同等の品質及び情報の表示が可能となる。
【００２９】
なお、しきい値は、設定回路Ｓ５で変更できるようにすることが好ましい。設定回路Ｓ５は、ユーザ設定に応じてしきい値を変更してもよいし、映像の種類、シーン、輝度レベルなどを自動判別して適応的にしきい値を変更することもできる。前者の例として、選択された表示モードに応じて適切なしきい値を設定する方法、ユーザにしきい値や輝度の低下レベルを指定させる方法などが考えられる。後者の例として、明るい画像の場合（例えばＡＰＬ（平均輝度レベル）が大きい画像の場合）はしきい値を大きくするなどが考えられる。
【００３０】
［実施例２］
以下、実施例２として、文字情報量算出部Ｓ３２で算出された情報量に基づいてゲイン調整をする時の具体例について説明する。なお、実施例２では図１におけるばらつき情報量算出部Ｓ３１と動き情報量算出部Ｓ３３の機能は利用しない。
【００３１】
図６は、文字情報量算出部Ｓ３２の動作フローを示している。分割回路Ｓ２から文字情報量算出部Ｓ３２に対し、検知エリアごとの画像の輝度レベルのデータが入力される（Ｓ３２１）。文字情報量算出部Ｓ３２は、画像解析によって検知エリアごとに文字の検出を行う（Ｓ３２２）。文字検出については公知の手法を利用できるので、ここでは詳しい説明を割愛する。文字が検出された場合、文字情報量算出部Ｓ３２は、文字部分の面積を求め、検知エリア全体の面積に対する文字部分の面積の割合を数値化する（Ｓ３２３）。本実施例では、検知エリア全体の面積を１００としたときの割合を「文字情報量」として求める。一方、検知エリア内に文字が含まれない場合には、文字情報量を０に設定する（Ｓ３２４）。文字情報量算出部Ｓ３２は、このようにして数値化した検知エリアごとの文字情報量のデータを出力する（Ｓ３２５）。
【００３２】
図７（ａ）〜（ｄ）を参照して、文字情報量の数値化及びエリアゲインの算出の一例について説明をする。
図７（ａ）に示すように、１フレームの画像が分割回路Ｓ２により３６個の検知エリアに分割される。文字情報量算出部Ｓ３２は、エリアごとに文字部分の面積の割合を求め、図７（ｂ）に示すような文字情報量として数値化する。図７（ｃ）は、実施例１と同様、しきい値「３０」で輝度を低下させないエリアと輝度を低下させるエリアを区分けした例である。また、図７（ｄ）は、図７（ｃ）のマップに基づいて実施例１と同様の方法で設定されたエリアゲインの例である。
【００３３】
つづいて、図１の画素ゲイン決定回路Ｓ７により、平均ゲイン値をスムージング処理して、画素ごとにかけるゲインを決定する。入力された映像信号Ｓ１に対して、乗算器Ｓ８で画素ゲインを掛け合わせて、輝度調整された映像信号が生成される。その映像信号が、映像表示回路Ｓ９を介して、表示パネルＳ１０に表示される。
【００３４】
本実施例の輝度調整処理によっても、実施例１と同様の効果を得ることができる。本実施例の文字情報量を用いた輝度調整処理は、例えばニュース番組やデータ放送など、文字情報が多く含まれる映像に有効である。また、ＯＳＤ（on screen display）によって文
字情報が合成された映像にも、本実施例の文字情報量を用いた輝度調整処理は有効である。なお図７（ａ）の例では、画像の表示に必要な消費電力を約９１％に低減できる。
【００３５】
［実施例３］
以下、実施例３として、動き情報量算出部Ｓ３３で算出された情報量に基づいてゲイン調整をする時の具体例について説明する。動き情報量は、輝度の時間変化、すなわち時間
的に連続するフレーム間での輝度の変化（差分）を情報量として捉えたものである。なお、実施例３では図１におけるばらつき情報量算出部Ｓ３１と文字情報量算出部Ｓ３２の機能は利用しない。
【００３６】
図８は、動き情報量算出部Ｓ３３の動作フローを示している。分割回路Ｓ２から動き情報量算出部Ｓ３３に対し、検知エリアごとの画像の輝度レベルのデータが入力される（Ｓ３３１）。動き情報量算出部Ｓ３３は、時間的に連続する２つのフレーム間で、画素ごとに輝度レベルの差分を計算し、検知エリアごとに差分量の平均を求める（Ｓ３３２）。全ての検知エリアの輝度レベルの平均差分量が求まったら、動き情報量算出部Ｓ３３は、検知エリアごとの平均差分量を比較する（Ｓ３３３）。動き情報量算出部Ｓ３３は、平均差分量の最大値が１００になるように各検知エリアの平均差分量を規格化する（Ｓ３３４）。このように数値化された検知エリアごとのデータを「動き情報量」として出力する（Ｓ３３５）。
【００３７】
図９（ａ）〜（ｃ）、図１０（ａ）及び（ｂ）を参照して、動き情報量の数値化の一例について説明をする。図９（ａ）と図９（ｂ）は時間的に連続するフレーム１、２を示している。各フレームの画像が分割回路Ｓ２により３６個の検知エリアに分割される。動き情報量算出部Ｓ３３は、エリアごとに平均差分量を求め、図９（ｃ）に示すような動き情報量として数値化する。図１０（ａ）は、実施例１と同様、しきい値「３０」で輝度を低下させないエリアと輝度を低下させるエリアを区分けした例である。また、図１０（ｂ）は、図１０（ａ）のマップに基づいて実施例１と同様の方法で設定されたエリアゲインの例である。
【００３８】
つづいて、図１の画素ゲイン決定回路Ｓ７により、平均ゲイン値をスムージング処理して、画素ごとにかけるゲインを決定する。入力された映像信号Ｓ１に対して、乗算器Ｓ８で画素ゲインを掛け合わせて、輝度調整された映像信号が生成される。その映像信号が、映像表示回路Ｓ９を介して、表示パネルＳ１０に表示される。
【００３９】
本実施例の輝度調整処理によっても、実施例１と同様の効果を得ることができる。本実施例の動き情報量を用いた輝度調整処理は、例えばスポーツ中継など、動きの大きな被写体が含まれる映像に有効である。なお図９（ａ）の例では、画像の表示に必要な消費電力を約８９％に低減できる。
【００４０】
［実施例４］
実施例４は、複数の情報量を重み付け加算する例である。本実施例では、加算ゲイン設定回路Ｓ４から、ゲイン１〜３の値としてそれぞれ「０．６」、「０．２」、「０．２」が設定される。この設定は、ばらつき情報量に重みをおく例である。これらのゲイン（重み）の比率は前述のように任意に設定できるし、ユーザ設定又は自動で変更することも可能である。
【００４１】
実施例１〜３と同様の方法で、情報量処理回路Ｓ３から「ばらつき情報量」、「文字情報量」、「動き情報量」が得られる。これらの情報量が上記ゲイン１〜３を用いて重み付け加算され、各検知エリアの情報量の値が求まる。それ以降の処理は実施例１〜３で述べたものと同様である。
【００４２】
本実施例の輝度調整処理によっても、実施例１と同様の効果を得ることができる。さらに本実施例のように複数の情報量を組み合わせることで、画像中の重要部分の判定精度の向上が期待できる。
【００４３】
［その他］
本発明の構成は上述した実施例に限られることはなく、発明の範囲内で種々の変形が可能である。例えば、評価する情報量の種類やその数は任意に設定できる。また、ゲインの決定方法は上記の例に限られない。例えば、消費電力をより低減させるために、情報量が小さいエリアでの輝度の低下率をより大きくしたり、情報量が大きいエリアでもいくらか輝度を低下させたりしてもよい。また、情報量が小さいエリアのゲインを決定する際に、そのエリアの情報量の値を考慮してゲインの値を決めてもよい。また、１つのしきい値で情報量の大きいエリアと小さいエリアの２つに区分するのではなく、２以上のしきい値を用いて３つ以上にエリアを区分してもよい。また、しきい値やゲインの値も任意の設定できる。また、エリアの分割数については、３６分割よりも細かくしても良いし、粗くしても構わない。また、エリアの面積及び形状は、全てのエリアで同じでなくもよい。
【符号の説明】
【００４４】
１：画像処理装置、２：表示部、Ｓ２：分割回路、Ｓ３：情報量処理回路、Ｓ６：エリアゲイン決定回路、Ｓ７：画素ゲイン決定回路
【図１】
0005574812.tif 000002
【図２】
0005574812.tif 000003
【図３】
0005574812.tif 000004
【図４】
0005574812.tif 000005
【図５】
0005574812.tif 000006
【図６】
0005574812.tif 000007
【図７】
0005574812.tif 000008
【図８】
0005574812.tif 000009
【図９】
0005574812.tif 000010
【図１０】
0005574812.tif 000011